(57)【要約】【課題】鋼管杭２０の上端、特にこれに開口している中心穴２２に対する養生を確実かつ簡単に行え、必要に応じた脱着も簡単に行うことのできるカバーを提供すること。【解決手段】鋼管杭２０の上面全体を覆う天板１１と、この天板１１に一体化されて、鋼管杭２０の上端外周または中心穴２２内に嵌合される側面部１２とにより構成したこと。【選択図】図３
2004052240.tif 000002
【特許請求の範囲】
【請求項１】
軟弱地盤対策として建築基礎の下に設置される鋼管杭の上端に着脱自在に嵌合されるカバーであって、
前記鋼管杭の上面全体を覆う天板と、この天板に一体化されて、前記鋼管杭の上端外周または中心穴内に嵌合される側面部とにより構成したことを特徴とする鋼管杭用のカバー。
【請求項２】
前記側面部に係止部を形成して、この係止部の外端または内端が、前記中心穴の内面または鋼管杭の外周面に圧接し得るようにしたことを特徴とする請求項１に記載の鋼管杭用のカバー。
【請求項３】
前記天板または側面部に、視認用の確認部を形成したことを特徴とする請求項１または２に記載の鋼管杭用のカバー。
【請求項４】
前記天板の外周を前記側面部より外方に突出させたことを特徴とする請求項１〜３のいずれかに記載の鋼管杭用のカバー。
【請求項５】
前記天板または側面部に取手を設けたことを特徴とする請求項１〜４のいずれかに記載の鋼管杭用のカバー。
【請求項６】
軟弱地盤対策として建築基礎の下に設置される鋼管杭の上端に着脱自在に嵌合されるカバーであって、
前記鋼管杭の中心穴全体を覆うことのできる天板と、この天板に形成されて、前記鋼管杭の外周面または中心穴の内面に係止される第１係止材と、この第１係止材と連携して前記天板の鋼管杭上に対する固定を行う第２係止材とを備えたことを特徴とする鋼管杭用のカバー。
【請求項７】
前記第２係止材は、前記天板に形成した穴から挿入されて、前記鋼管杭の内部分を挟み込む差込部材であることを特徴とする請求項６に記載の鋼管杭用のカバー。
【請求項８】
前記第２係止材は、前記天板に前記第１係止材側またはその反対側に向けて傾斜させたネジ穴に螺着されるボルトとしたことを特徴とする請求項６に記載の鋼管杭用のカバー。
【請求項９】
前記第１及び第２係止材間を、これらの間の寸法より長い連結材によって連結し、この連結材の中央に形成させた突起部を、前記天板に螺着されるボルトにより引き上げまたは押し下げるようにして、前記第１及び第２係止材、が前記中心穴の内面に圧接し得るようにしたことを特徴とする請求項６に記載の鋼管杭用のカバー。
【発明の詳細な説明】
【０００１】
【発明の属する技術分野】
本発明は、軟弱地盤を改良するために地盤に打ち込まれる鋼管杭のためのカバーに関し、特に建築基礎の下に設置される鋼管杭の上端に着脱自在に嵌合されるカバーに関するものである。
【０００２】
【従来の技術】
軟弱地盤を改良する手段として、土そのものにコンクリート等の硬化材を混入して硬質化させる方法もあるが、図１及び図２に示すように、地盤に鋼管杭２０を打ち込んでその先端を岩盤に到達させ、これらの鋼管杭２０によって軟弱地盤の上に構築される建築基礎等を安定化するのが効果的である。
【０００３】
このような鋼管杭２０は、建築基礎の支えともなるものであるから、地面より少し下がった位置まで打ち込まれることが多く、しかも、その中心には、図１に示したように中心穴２２が形成してある。このため、打ち終わった鋼管杭２０に対しては、土等の異物や雨水が入り易いものとなっているのであり、そのようなことがないようにする所謂「養生」を施さなければならない。
【０００４】
鋼管杭２０の中心穴２２内に土等の異物が入ると、まずその打ち込まれた長さを第三者が測定する場合の支障となる。つまり、鋼管杭２０は、その地盤に打ち込まれた長さが重要なため、その長さの測定、つまり検査は、図２に示したような巻尺３０や重りを付けた糸等を中心穴２２内に挿入する等の手段によってなされるが、通常、この第三者による検査は、施工時とは異なるものであり、異物混入後のことが多い。そうなると、図２に示したような検査方法を採った場合、対象鋼管杭２０は、実際施工した長さよりも短いものとなってしまって、再施工をしなければならなくなってしまう。また、鋼管杭２０内に雨水が入ってしまうと、効果杭２０が内側から錆びることになり、地盤改良をし建築基礎を支えるものとしては、非常に不都合となる。
【０００５】
この種の鋼管杭２０のための従来の「養生」としては、セメントの空き袋を被せたり、建築端材を単に載せたりしただけであって、鋼管杭２０の上端が地面より低いこともあって、十分なものであるとは言い難いものであった。勿論、これらの空き袋や建築端材は、上記検査時は勿論、鋼管杭２０の上に建築基礎を施工する前に取り除かなくてはならず、建築現場においては、結構手間と人手を要する作業となっていたのである。
【０００６】
そこで、本発明者は、打ち込まれた鋼管杭２０の上端について、検査や建築基礎施工前の養生を簡単に行え、しかも必要に応じて取り外しを簡単に行えるようにするにはどうしたらよいか、について種々検討を重ねてきた結果、本発明を完成したのである。
【０００７】
【発明が解決しようとする課題】
本発明は、鋼管杭２０についての以上の経緯に基づいてなされたもので、その解決しようとする課題は、鋼管杭２０の上端、特にこれに開口している中心穴２２に対する養生を確実かつ簡単に行え、必要に応じた脱着も簡単に行うことのできるカバーを提供することにある。
【０００８】
【課題を解決するための手段】
以上の課題を解決するために、まず、請求項１に係る発明の採った手段は、後述する実施の形態の説明中において使用する符号を付して説明すると、
「軟弱地盤対策として建築基礎の下に設置される鋼管杭２０の上端に着脱自在に嵌合されるカバー１０であって、
鋼管杭２０の上面全体を覆う天板１１と、この天板１１に一体化されて、鋼管杭２０の上端外周２１または中心穴２２内に嵌合される側面部１２とにより構成したことを特徴とする鋼管杭２０用のカバー１０」
である。
【０００９】
すなわち、この請求項１に係るカバー１０は、鋼管杭２０の上面全体を覆う天板１１と、この天板１１に一体化した側面部１２とを備えたもので、天板１１によって鋼管杭２０の中心穴２２を覆い、側面部１２によってカバー１０の上端に対して脱着自在に維持できるようにしたものである。側面部１２としては、図８及び図９に示したように、筒状にして鋼管杭２０の外周面２１全体に嵌合されるものであってもよいが、図３〜図７に示すように、複数の「脚状物」として構成してもよい。
【００１０】
側面部１２として、鋼管杭２０の内面２２ａに対して天板１１を支える複数の「脚状物」として構成した場合には、図３及び図４に示すように、これら各側面部１２が鋼管杭２０の中心穴２２内に嵌合されるか、あるいは図５及び図６に示すように、鋼管杭２０の外周面２１に対して嵌合されるため、天板１１の支えを確実にする他、その着脱操作を簡単に行えるものとなっているのである。また、側面部１２として、鋼管杭２０の上端に対して嵌合する筒状のものにおいても、図７及び図８に示すように、鋼管杭２０の外周面２１への嵌合は勿論、鋼管杭２０の中心穴２２内への嵌合も確実に行うことができて、天板１１の鋼管杭２０に対する保持とその取り外しを簡単に行えるのである。
【００１１】
従って、この請求項１のカバー１０は、その天板１１によって鋼管杭２０の中心穴２２を覆うから、中心穴２２から鋼管杭２０内に土や雨水等の異物が簡単には入らないことは当然として、筒状または脚状の側面部１２によって、鋼管杭２０の上端に対する脱着が容易に行えるものとなっていて、当該カバー１０を地盤に打ち込まれた鋼管杭２０の上端に嵌合するのみで取り付けが行え、必要に応じた取り外しも容易になっているのである。
【００１２】
また、上記課題を解決するために、請求項２に係る発明の採った手段は、上記請求項１に記載の鋼管杭２０用のカバー１０について、
「側面部１２に係止部１３を形成して、この係止部１３の外端または内端が、中心穴２２の内面２２ａまたは鋼管杭２０の外周面２１に圧接し得るようにしたこと」
である。
【００１３】
すなわち、この請求項２のカバー１０では、その側面部１２が脚状物であれ筒状物であれ、その一部に係止部１３を形成したものである。この係止部１３としては、図３及び図４に示すものでは、鋼管杭２０の中心穴２２の内面２２ａに接触し得る「突起」として形成したものであり、図５及び図６に示すものでは、鋼管杭２０の外周面２１に接触し得る「突起」として形成したものである。また、図７に示したものでは、側面部１２の一部を切り開いて係止部１３としたもので、この係止部１３を外側に向けて折り曲げれば、鋼管杭２０の内面２２ａに内側から弾発的に当接するものとなるし、この係止部１３を内側に向けて折り曲げれば、鋼管杭２０の外周面２１に外側から弾発的に当接するものとなる。
【００１４】
従って、この請求項２のカバー１０は、請求項１のそれと同様な機能を発揮する他、その鋼管杭２０に対する取り付けを各係止部１３によってよりしっかりと行うことができるだけでなく、側面部１２または係止部１３自体の弾発力を有効に利用することができて着脱操作をより一層簡単にすることができるものとなっている。
【００１５】
さらに、上記課題を解決するために、請求項３に係る発明の採った手段は、上記請求項１または２に記載の鋼管杭２０用のカバー１０について、
「天板１１または側面部１２に、視認用の確認部１４を形成したこと」
である。
【００１６】
すなわち、この請求項３のカバー１０では、図３及び図４に示すように、各側面部１２を切り抜いて折り曲げることにより形成された穴を確認部１４としたものであり、この確認部１４から天板１１が鋼管杭２０の上端に完全に密着しているか否かを視認することができるのである。図５〜図７に示したような、各側面部１２が鋼管杭２０の外周面２１に当接されるものにおいては、これらの側面部１２の間が確認部１４となり、筒状の側面部１２であって鋼管杭２０の外周面２１外側に嵌合されるものでは、図９に示すような確認部１４を形成すればよい。
【００１７】
従って、この請求項３のカバー１０は、請求項１または請求項２のそれと同様な機能を発揮する他、当該カバー１０の鋼管杭２０に対する取付状態の確認を確認部１４を通して行えるものとなっているのである。
【００１８】
請求項４に係る発明の採った手段は、上記請求項１〜３のいずれかに記載の鋼管杭２０用のカバー１０について、
「天板１１の外周を側面部１２より外方に突出させたこと」
である。
【００１９】
すなわち、この請求項４のカバー１０は、例えば図５及び図６に示すように、天板１１の外周を側面部１２より外方に突出させたものであり、これにより、請求項１〜３の発明と同様な機能を発揮する他、この天板１１の突出した部分を手掛けとして使用することができ、当該カバー１０の着脱操作をより簡単に行えるものとしてある。
【００２０】
請求項５に係る発明の採った手段は、上記請求項１〜４のいずれかに記載の鋼管杭２０用のカバー１０について、
「天板１１または側面部１２に取手１５を設けたこと」
である。
【００２１】
すなわち、この請求項５のカバー１０においては、例えば図４、図５あるいは図９に示すように、天板１１または側面部１２に取手１５を取り付けたものであり、この取手１５は、当該カバー１０を外すときは勿論、取り付けるときも使用することにより、その各作業や運搬を行い易くするものであって、請求項１〜４の発明と同様な機能を発揮する他、当該カバー１０の着脱操作をより簡単に行えるものとなっているのである。
【００２２】
さて、上記課題を解決するために、請求項６に係る発明の採った手段は、同様に、
「軟弱地盤対策として建築基礎の下に設置される鋼管杭２０の上端に着脱自在に嵌合されるカバー１０であって、
鋼管杭２０の中心穴２２全体を覆うことのできる天板１１と、この天板１１に形成されて、鋼管杭２０の外周面２１または中心穴２２の内面２２ａに係止される第１係止材１６と、この第１係止材１６と連携して天板１１の鋼管杭２０上に対する固定を行う第２係止材１７とを備えたことを特徴とする鋼管杭２０用のカバー１０」
である。
【００２３】
すなわち、この請求項６に係るカバー１０は、図１０及び図１１に示すように、その天板１１によって鋼管杭２０の中心穴２２を覆うようにすることは上記請求項１〜５のカバー１０と同様なのであるが、鋼管杭２０上端に対する取り付けを、第１係止材１６及び第２係止材１７を利用して行うようにしたものである。換言すれば、これらの第１係止材１６及び第２係止材１７を採用することによって、上記請求項１〜請求項５における脚状または筒状の側面部１２の省略を目指したものである。
【００２４】
第１係止材１６は、図１０及び図１１に示すように、天板１１に形成されて、鋼管杭２０の外周面２１または中心穴２２の内面２２ａに係止されることになるものである。換言すれば、この第１係止材１６は、鋼管杭２０の外周面２１または中心穴２２の内面２２ａに係止されればよいから、例えば図１０の（ア）に示すように、ほんの僅か下方に突出するものであれば十分であり、当該カバー１０全体の厚さを小さくすることができて、梱包や運搬をし易くすることになるものである。
【００２５】
勿論、この第１係止材１６は、鋼管杭２０の上端部に対して係止されればよく、図１１の（ア）に示すように鋼管杭２０の外周面２１に係止させたり、図１１の（イ）に示すような、ボルト１７ｂの傾斜方向が内側となるような場合には、鋼管杭２０の中心穴２２の内面２２ａに係止させればよいものである。
【００２６】
一方、第２係止材１７は、第１係止材１６と連携して天板１１の鋼管杭２０上に対する固定を行うものであり、第１係止材１６が鋼管杭２０の外側に係止されるか、内側に係止されるか、に応じて種々な形態のものが考えられる。例えば、鋼管杭２０の上端に形成した穴内に通した紐を鋼管杭２０側に引き出して固定したり、鋼管杭２０の裏面に、第１係止材１６と連携して天板１１の鋼管杭２０上に対する固定を行う突起を形成したりすることがそれであるが、具体的には、以下の請求項７〜請求項９に示すような種々な形態のものが考えられる。
【００２７】
従って、この請求項６のカバー１０は、鋼管杭２０上端に対する取り付けを、第１係止材１６及び第２係止材１７を利用して強力かつ確実に行うことができて、上記請求項１〜請求項５における脚状または筒状の側面部１２の省略を果たすことができ、結果的に鋼管杭２０に対する脱着を自在に行えるだけでなく、これ自体の梱包や運搬をより一層簡単にすることができるものとなっているのである。
【００２８】
また、上記課題を解決するために、請求項７に係る発明の採った手段は、上記請求項６に記載の鋼管杭２０用のカバー１０について、
「第２係止材１７は、天板１１に形成した穴１１ａから挿入されて、鋼管杭２０の内部分を挟み込む差込部材１７ａであること」
である。
【００２９】
すなわち、この請求項７のカバー１０は、図１０の（イ）〜（ロ）に示したものを対象としているものであり、第２係止材１７を差込部材１７ａという具体的なものに限定したものである。
【００３０】
つまり、このカバー１０にあっては、図１０の（ウ）に示すように、その天板１１の一部に、これを切り欠いて折り曲げた第１係止材１６を形成しておき、この第１係止材１６とは反対側（鋼管杭２０の中心穴２２の中心に対して反対側）に穴１１ａを形成したものである。そして、この穴１１ａを通して天板１１上から第２係止材１７である差込部材１７ａを鋼管杭２０に向けて差し込むようにして、鋼管杭２０の外周面２１または中心穴２２の内面２２ａに係止される第１係止材１６と連携して天板１１の鋼管杭２０上に対する固定を行うようにしたものである。
【００３１】
この場合に使用する差込部材１７ａは、図１０の（ア）及び（イ）に示すように、鋼管杭２０の上端部を内外から挟み込むピンセットのようなものであり、この差込部材１７ａの先端を穴１１ａから挿入して鋼管杭２０の上端に差し込むことにより、天板１１の鋼管杭２０に対する固定を行うものである。勿論、この差込部材１７ａが挿入される天板１１側の穴１１ａ、及び第１係止材１６を形成した後の穴は、上述した確認部１４にもなり得るものである。
【００３２】
従って、この請求項７のカバー１０は、上記請求項６と同様な機能を発揮する他、差込部材１７ａを天板１１の穴１１ａから挿入するという簡単な作業で、その取り付けが行えるのであるし、この差込部材１７ａを引き抜けば、取り外しも簡単に行えるのである。
【００３３】
また、請求項８に係る発明の採った手段は、上記請求項６に記載の鋼管杭２０用のカバー１０について、
「第２係止材１７は、天板１１に第１係止材１６側またはその反対側に向けて傾斜させたネジ穴１１ｂに螺着されるボルト１７ｂとしたこと」
である。
【００３４】
すなわち、この請求項８のカバー１０は、図１１の（ア）及び（イ）に示したものを対象としているものであり、第２係止材１７をネジ穴１１ｂに螺着されるボルト１７ｂという具体的なものに限定したものである。このボルト１７ｂが螺着されるネジ穴１１ｂは、天板１１の第１係止材１６とは反対側に位置する部分に形成されるものであり、かつ第１係止材１６側またはその反対側に向けて傾斜させたものである。この天板１１ネジ穴１１ｂを、図１１の（ア）に示すように、第１係止材１６側に向けて傾斜させるのは、この第１係止材１６が鋼管杭２０の外周面２１に係合される場合であり、図１１の（イ）に示すように、第１係止材１６とは反対側に向けて傾斜させるのは、この第１係止材１６が鋼管杭２０の中心穴２２内に係合される場合である。
【００３５】
つまり、第１係止材１６が鋼管杭２０の外側に係止されるのであれば、この第１係止材１６に向けてボルト１７ｂの先端を螺進させるのであり、第１係止材１６が鋼管杭２０の内側に係止されるのであれば、この第１係止材１６とは反対側に向けてボルト１７ｂの先端を螺進させるのである。
【００３６】
従って、この請求項８のカバー１０は、上記請求項６と同様な機能を発揮する他、ボルト１７ｂを天板１１のネジ穴１１ｂに対してネジ込むという簡単な作業で、その取り付けが行えるのであるし、このボルト１７ｂをネジ戻せば、当該カバー１０の取り外しも簡単に行えるのである。
【００３７】
さらに、請求項９に係る発明の採った手段は、上記請求項６に記載の鋼管杭２０用のカバー１０について、
「第１及び第２係止材１６、１７間を、これらの間の寸法より長い連結材１８によって連結し、この連結材１８の中央に形成させた突起部１８ａを、天板１１に螺着されるボルト１９により引き上げまたは押し下げるようにして、第１及び第２係止材１６、１７が中心穴２２の内面２２ａに圧接し得るようにしたこと」である。
【００３８】
すなわち、このカバー１０は、図１１の（ウ）に示したものを対象とするものであり、ボルト１９の螺進操作によって第１及び第２係止材１６、１７間を広げ、ボルト１９の螺退操作によって第１及び第２係止材１６、１７間を狭くするようにしたものである。
【００３９】
従って、この請求項９のカバー１０は、請求項６に記載の発明と同様な機能を発揮する他、ボルト１９の螺進（締め付け）あるいは螺退（取り外し）操作で、カバー１０の鋼管杭２０上端に対する着脱操作を行えるのである。
【００４０】
【発明の実施の形態】
次に、上記のように構成した各請求項に係る発明を、図面に示した実施の形態であるカバー１０について説明するが、図面中には複数の実施形態が示してある。そして、これらの実施形態に係るカバー１０は、上記各請求項の発明の全てを実質的に含むものである。
【００４１】
さて、図１及び図２には、軟弱地盤に、建築基礎の下に設置されるべき鋼管杭２０を打ち込んだ状態が示してあり、これらの鋼管杭２０には、その上端に、本発明に係るカバー１０が取り付けられるのである。
【００４２】
図３及び図４には、本発明の第１実施例に係るカバー１０が示してあるが、このカバー１０は、金属の板等によって形成した天板１１と、この天板１１の下面に一体化した側面部１２とを備えたものである。天板１１は、図３に示したように、鋼管杭２０の上端と略同じ面積を有するものとすることもあるが、図５等に示すように、鋼管杭２０より大きくして鋼管杭２０からはみ出す部分を積極的に形成する場合もある。鋼管杭２０より天板１１を大きくした場合には、この大きくなった部分を利用して、当該カバー１０の着脱を行う際の手掛けとして利用するものである。
【００４３】
また、この天板１１に対しては、図４または図５中の二点鎖線にて示したように、これに取手１５を取り付けるようにして実施してもよいものであり、この取手１５の取付場所としては、図９に示したように、筒状の側面部１２であってもよいものである。
【００４４】
側面部１２は、図３及び図４等に示したように、鋼管杭２０の中心を囲むことのできる複数の脚状のものとして形成してもよいが、図８及び図９に示したように、鋼管杭２０の外周面２１に外嵌合したり、鋼管杭２０の中心穴２２内に内嵌合したりする筒状のものとして実施してもよいものである。各側面部１２を脚状にするには、図３〜図７に示したように、天板１１の一部を切り欠いて図示下側に折り曲げるようにすることが最も簡便である。このようにして出来た天板１１の穴は、これを後述する確認部１４として利用することもできるし、このように脚状に形成した各側面部１２は、天板１１に対して弾性を有したものにもなる。
【００４５】
このような脚状の側面部１２に、図３または図５に示したような係止部１３を積極的に形成すると、この係止部１３が鋼管杭２０の外周面２１や内面２２ａに弾発的に当接することになるから、非常に有利になる。何故なら、各係止部１３によって鋼管杭２０に対する当接が弾発力をもってなされることになるから、当該カバー１０の鋼管杭２０に対する取付状態を確実に維持することができるからである。
【００４６】
図３及び図４に示したカバー１０は、その各脚状の側面部１２が鋼管杭２０の内面２２ａに当接するようにしたものであり、図５及び図６に示したカバー１０は、その各脚状の側面部１２が鋼管杭２０の外周面２１に外側から当接するようにしたものである。
【００４７】
以上の天板１１及び各側面部１２は、図７に示したような種々な態様のものが考えられる。図７の（イ）に示したカバー１０では、天板１１を略四角形状とし、各側面部１２を切り抜いて折り曲げた後の穴が閉じられている場合であり、図７の（ロ）では天板１１を円形のものとしたものである。また、図７の（ハ）に示したカバー１０では、天板１１を略四角形状とし、各側面部１２を切り抜いて折り曲げた後の穴が開放されている場合であり、図７の（ニ）では天板１１を円形のものとしたものである。
【００４８】
図８に示したカバー１０は、側面部１２として筒状のものを採用し、この側面部１２が鋼管杭２０の中心穴２２内に内嵌合されるものを示している。この場合、係止部１３を、図７の（イ）に示した脚状の側面部１２と同様な方法で舌片状に形成し、この係止部１３を外側、つまり鋼管杭２０の中心穴２２側に傾斜するようにしたものである。勿論、この筒状の側面部１２を鋼管杭２０に外嵌合させるものとした場合には、この舌片状の係止部１３は内側に曲げておくようにすればよい。
【００４９】
図９に示したカバー１０は、側面部１２を、鋼管杭２０の外側に外嵌合するものとして形成したものであり、この側面部１２に対しては、図９中に例示したような形状の確認部１４を形成して実施するとよい。この確認部１４からは、当該カバー１０を鋼管杭２０の上端に取り付けるに際して、その天板１１が鋼管杭２０の上端に密着した状態にあるか否かを視認することができるものである。
【００５０】
図１０には、さらに別の実施例が示してあるが、このカバー１０では、その天板１１を鋼管杭２０に取り付けるのに、第１係止材１６とこれに対向する第２係止材１７とで行うようにしたものである。特に、このカバー１０の第１係止材１６は、図１０の（ア）及び（イ）に示したように、鋼管杭２０の外周面２１または内面２２ａに係止されることになる第１係止材１６を必要最小限の長さとし、この第１係止材１６に対向する部分に穴１１ａを形成したものである。そして、この穴１１ａ内には、ピンセット状の差込部材１７ａを差し込むものであり、この差込部材１７ａを鋼管杭２０に嵌合させることにより、鴎外カバー１０の取り付けを行うものである。勿論、差込部材１７ａを引き抜くことによって、当該カバー１０の取り外しが行えるものである。
【００５１】
そして、図１１の（ア）及び（イ）には、第２係止材１７としてボルト１７ｂを採用する場合の実施例が示してあり、第２係止材１７をネジ穴１１ｂに螺着されるボルト１７ｂという具体的なものに限定したものである。このボルト１７ｂが螺着されるネジ穴１１ｂは、天板１１の第１係止材１６とは反対側に位置する部分に形成されるものであり、かつ第１係止材１６側またはその反対側に向けて傾斜させたものである。この天板１１のネジ穴１１ｂを、図１１の（ア）に示すように、第１係止材１６側に向けて傾斜させるのは、この第１係止材１６が鋼管杭２０の外周面２１に係合される場合であり、図１１の（イ）に示すように、第１係止材１６とは反対側に向けて傾斜させるのは、この第１係止材１６が鋼管杭２０の中心穴２２内に係合される場合である。
【００５２】
つまり、第１係止材１６が鋼管杭２０の外側に係止されるのであれば、この第１係止材１６に向けてボルト１７ｂの先端を螺進させるのであり、第１係止材１６が鋼管杭２０の内側に係止されるのであれば、この第１係止材１６とは反対側に向けてボルト１７ｂの先端を螺進させるのである。このようにしたカバー１０は、ボルト１７ｂを天板１１のネジ穴１１ｂに対してネジ込むという簡単な作業で、その取り付けが行えるものであるし、このボルト１７ｂをネジ戻せば、当該カバー１０の取り外しも簡単に行えるものである。
【００５３】
さらに、図１１の（ウ）に示したカバー１０は、ボルト１９の螺進操作によって第１及び第２係止材１６、１７間を広げ、ボルト１９の螺退操作によって第１及び第２係止材１６、１７間を狭くするようにしたものであり、第１及び第２係止材１６、１７間を、これらの間の寸法より長い連結材１８によって連結し、この連結材１８の中央に形成させた突起部１８ａを、天板１１に螺着されるボルト１９により引き上げまたは押し下げるようにして、第１及び第２係止材１６、１７が中心穴２２の内面２２ａに圧接し得るようにしたものである。
【００５４】
【発明の効果】
以上、詳述した通り、請求項１〜請求項５に係る発明においては、上記実施形態にて例示した如く、
「軟弱地盤対策として建築基礎の下に設置される鋼管杭２０の上端に着脱自在に嵌合されるカバー１０であって、
鋼管杭２０の上面全体を覆う天板１１と、この天板１１に一体化されて、鋼管杭２０の上端外周２１または中心穴２２内に嵌合される側面部１２とにより構成したこと」
にその主たる構成上の特徴があり、これにより、鋼管杭２０の上端、特にこれに開口している中心穴２２に対する養生を確実かつ簡単に行え、必要に応じた脱着も簡単に行うことのできるカバー１０を提供することができるのである。
【００５５】
また、請求項６〜請求項９に係る発明においては、上記実施形態にて例示した如く、
「軟弱地盤対策として建築基礎の下に設置される鋼管杭２０の上端に着脱自在に嵌合されるカバー１０であって、
鋼管杭２０の中心穴２２全体を覆うことのできる天板１１と、この天板１１に形成されて、鋼管杭２０の外周面２１または中心穴２２の内面２２ａに係止される第１係止材１６と、この第１係止材１６と連携して天板１１の鋼管杭２０上に対する固定を行う第２係止材１７とを備えたこと」
にその主たる構成上の特徴があり、これにより、鋼管杭２０の上端、特にこれに開口している中心穴２２に対する養生を、強力な固定であって確実かつ簡単に行え、必要に応じた脱着も簡単に行うことのでき、しかも、全体の厚さを小さくすることができて、その梱包や運搬を容易にすることのできるカバー１０を提供することができるのである。
【図面の簡単な説明】
【図１】本発明に係るカバーが取り付けけられるべき鋼管杭を軟弱地盤に打ち込んだ様子を示す部分斜視図である。
【図２】図１に示した一つの鋼管杭を中心にしてみた部分拡大縦断面図である。
【図３】本発明に係るカバーの第１実施例を示す縦断面図である。
【図４】同カバーの平面図である。
【図５】本発明に係るカバーの第２実施例を示す縦断面図である。
【図６】同カバーの平面図である。
【図７】図６に示したカバーの、（イ）〜（ニ）の４種類の実施例を示す平面図である。
【図８】側面部が筒状であって鋼管杭に内嵌合されるカバーの概略斜視図である。
【図９】側面部が筒状であって鋼管杭に外嵌合されるカバーの概略斜視図である。
【図１０】第１係止材と第２係止材とを有するカバーを示すもので、（ア）は当該カバーを鋼管杭に取り付けた状態の断面図、（イ）は第２係止材である差込部材を鋼管杭上端に差し込もうとしている状態の断面図、（ウ）は同平面図である。
【図１１】第１係止材と、第２係止材であるボルトとを有するカバーを示すもので、（ア）はボルトの先端を鋼管杭の外側に係合させる例を示す断面図、（イ）はボルトの先端を鋼管杭の内面に内側で係合させる例を示す断面図、（ウ）は第１係止材と第２係止材とをボルトによって拡縮される連結材を有したカバーの断面図である。
【符号の説明】
１０　　カバー
１１　　天板
１１ａ　穴
１１ｂ　ネジ穴
１２　　側面部
１３　　係止部
１４　　確認部
１５　　取手
１６　　第１係止材
１７　　第２係止材
１７ａ　差込部材
１７ｂ　ボルト
１８　　連結材
１８ａ　突起部
１９　　ボルト
２０　　鋼管杭
２１　　外周面
２２　　中心穴
２２ａ　内面
【図１】
2004052240.tif 000003
【図２】
2004052240.tif 000004
【図３】
2004052240.tif 000005
【図４】
2004052240.tif 000006
【図５】
2004052240.tif 000007
【図６】
2004052240.tif 000008
【図７】
2004052240.tif 000009
【図８】
2004052240.tif 000010
【図９】
2004052240.tif 000011
【図１０】
2004052240.tif 000012
【図１１】
2004052240.tif 000013